(57)【要約】【課題】好適な映像の表示が可能な、映像表示装置を提供する。【解決手段】本発明の映像表示装置１は、映像を投影するプロジェクタ３０と、前記プロジェクタ３０によって映像が投影されるスクリーン２０と、前記スクリーン２０，の内側に備えられ、前記スクリーン２０に投影された映像、及び、前記スクリーン２０の外側の映像を撮影可能な撮影部４０とを含み、前記撮影部４０は前記スクリーン２０に投影された映像を撮影する第一の撮影と、前記スクリーン２０の外側の映像を撮影する第二の撮影とが可能であることを特徴とする。【選択図】図１
2013205543.tif 000002
【特許請求の範囲】
【請求項１】
映像を投影するプロジェクタと、
前記プロジェクタによって映像が投影されるスクリーンと、
前記スクリーンの内側に備えられ、前記スクリーンに投影された映像、及び、前記スクリーンの外側の映像を撮影可能な撮影部とを含み、
前記撮影部は前記スクリーンに投影された映像を撮影する第一の撮影と、前記スクリーンの外側の映像を撮影する第二の撮影とが可能であることを特徴とする映像表示装置。
【請求項２】
請求項１の映像表示装置であって、
前記スクリーンは前記スクリーンに投影された光束を拡散させる第一の投影状態と、前記スクリーンに投影された光束を透過させる第二の投影状態とを持ち、
前記第一の投影状態と前記第二の投影状態とは時系列で切り替えられ、
前記撮影部は、前記スクリーンが第一の投影状態の際は該スクリーンに合焦させ、前記第二の投影状態の際は該スクリーンより遠方に合焦するように撮影状態を切り替えることを特徴とする映像表示装置。
【請求項３】
請求項１の映像表示装置であって、
前記スクリーンはその一部が投影された光束を拡散される第一の投影エリアと、投影された光束を透過させる第二の投影エリアと、の少なくとも二つの投影エリアを持ち、
前記撮影部は前記第一の撮影状態の場合は前記第一の投影エリアに合焦し、前記第二の撮影状態の場合は前記スクリーンより遠方に合焦することを特徴とする映像表示装置。
【請求項４】
請求項３の映像表示装置であって、
前記第一の撮影状態と前記第二の撮影状態とは時系列に切り替わることを特徴とする映像表示装置。
【請求項５】
請求項４の映像表示装置であって、
撮影状態が前記第二の撮影状態の場合は前記第一の投影エリアに投影される映像の輝度を低減させることを特徴とする映像表示装置。
【請求項６】
請求項３の映像表示装置であって、
前記第一の撮影状態となるように撮像する第一の撮像素子と前記第二の撮影状態となるように撮像する第二の撮像素子を持つことを特徴とする映像表示装置。
【請求項７】
請求項１〜６の映像表示装置であって、
前記第一の撮影状態と前記第二の撮影状態とでは撮影する光束の波長が異なるように撮影される波長選択機能を持ち、
前記第一の撮影状態では不可視の波長域が撮像され、
前記第二の撮影状態では可視の波長域が撮像されることを特徴とする映像表示装置。
【発明の詳細な説明】
【技術分野】
【０００１】
本発明は、映像表示装置に関するものである。
【背景技術】
【０００２】
従来、映像表示装置として、映像が表示されるスクリーンに観察者が直接触れて各種操作を行うものが知られている（特許文献１参照）。このような映像表示装置では、表示装置の筐体内部に、スクリーンを裏面より撮影するカメラを配置し、スクリーンに指などが接触したときに、指で反射した光をカメラで撮影することで、指の位置を特定している。
【先行技術文献】
【特許文献】
【０００３】
【特許文献１】特開２００７−０１１２７６号公報
【発明の概要】
【発明が解決しようとする課題】
【０００４】
本発明の課題は、好適な映像の表示が可能な映像表示装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、映像を投影するプロジェクタ（３０，２３０，４３０）と、前記プロジェクタ（３０，２３０，４３０）によって映像が投影されるスクリーン（２０，２２０，３２０，４２０）と、前記スクリーン（２０，２２０，３２０，４２０）の内側に備えられ、前記スクリーン（２０，２２０，３２０，４２０）に投影された映像、及び、前記スクリーン（２０，２２０，３２０，４２０）の外側の映像を撮影可能な撮影部（４０，２４０，４４０）とを含み、前記撮影部（４０，２４０，４４０）は前記スクリーン（２０，２２０，３２０，４２０）に投影された映像を撮影する第一の撮影と、前記スクリーン（２０，２２０，３２０，４２０）の外側の映像を撮影する第二の撮影とが可能であることを特徴とする映像表示装置（１，２，４）である。
請求項２に記載の発明は、請求項１の映像表示装置（１，２，４）であって、前記スクリーン（２０，２２０，４２０）は前記スクリーン（２０，２２０，４２０）に投影された光束を拡散させる第一の投影状態と、前記スクリーン（２０，２２０，４２０）に投影された光束を透過させる第二の投影状態とを持ち、前記第一の投影状態と前記第二の投影状態とは時系列で切り替えられ、前記撮影部（４０，２４０，４４０）は、前記スクリーン（２０，２２０，４２０）が第一の投影状態の際は該スクリーン（２０，２２０，４２０）に合焦させ、前記第二の投影状態の際は該スクリーン（２０，２２０，４２０）より遠方に合焦するように撮影状態を切り替えることを特徴とする映像表示装置（１，２，４）である。
請求項３に記載の発明は、請求項１の映像表示装置であって、前記スクリーン（３２０）はその一部が投影された光束を拡散される第一の投影エリア（３２１）と、投影された光束を透過させる第二の投影エリア（３２２）と、の少なくとも二つの投影エリアを持ち、前記撮影部は前記第一の撮影状態の場合は前記第一の投影エリア（３２１）に合焦し、前記第二の撮影状態の場合は前記スクリーン（３２０）より遠方に合焦することを特徴とする映像表示装置である。
請求項４に記載の発明は、請求項３の映像表示装置であって、前記第一の撮影状態と前記第二の撮影状態とは時系列に切り替わることを特徴とする映像表示装置である。
請求項５に記載の発明は、請求項４の映像表示装置であって、撮影状態が前記第二の撮影状態の場合は前記第一の投影エリア（３２１）に投影される映像の輝度を低減させることを特徴とする映像表示装置である。
請求項６に記載の発明は、請求項３の映像表示装置（１，２，４）であって、前記第一の撮影状態となるように撮像する第一の撮像素子と前記第二の撮影状態となるように撮像する第二の撮像素子を持つことを特徴とする映像表示装置（１，２，４）である。
請求項７に記載の発明は、請求項１〜６の映像表示装置（４）であって、前記第一の撮影状態と前記第二の撮影状態とでは撮影する光束の波長が異なるように撮影される波長選択機能を持ち、前記第一の撮影状態では不可視の波長域が撮像され、前記第二の撮影状態では可視の波長域が撮像されることを特徴とする映像表示装置（４）である。
【０００６】
なお、符号を付して説明した構成は、適宜改良してもよく、また、少なくとも一部を他の構成物に代替してもよい。
【発明の効果】
【０００７】
本発明によれば、好適な映像の表示が可能な映像表示装置を提供することができる。
【図面の簡単な説明】
【０００８】
【図１】本発明の第１実施形態の映像表示装置を示す図である。
【図２】制御部の動作を示すフローチャートである。
【図３】本発明の第２実施形態の映像表示装置を示す図である。
【図４】本発明の第３実施形態のスクリーンにおける拡散領域と透過領域との例を示したものである。
【図５】本発明の第４実施形態の映像表示装置を示す図である。
【発明を実施するための形態】
【０００９】
（第１実施形態）
以下、図面等を参照して、本発明の実施形態について説明する。図１は、本発明の第１実施形態の映像表示装置１を示す図である。なお、本明細書において、映像とは、動画像だけでなく静止画像も含むものを意味する。
【００１０】
映像表示装置１は、表示部１０と、制御部６０とを備える。
表示部１０は、全体形状が略直方体状の筐体１１と、筐体１１の上面に配設されたスクリーン２０と、を備えている。筐体１１の内部には、プロジェクタ３０と、カメラ４０とが配置されている。
【００１１】
スクリーン２０は、筐体１１の上面を覆うように配置されている。スクリーン２０は、たとえば、透明ガラス部材、透明アクリル、ポリカーボネート等、可視光を透過可能な素材によって所定厚さに形成されている。
【００１２】
スクリーン２０の内側面に沿って液晶素子２０ａが配設されている。液晶素子２０ａには、ＣＰＵ６１によって不図示の電極から電圧が印加される。
液晶素子２０ａは、電圧の印加の有無に応じて液晶層内の液晶分子の配向を変え、プロジェクタ３０からの投影光を拡散する拡散状態と、プロジェクタ３０からの投影光を透過する透過状態とを切替え可能となっている。
【００１３】
拡散状態では、スクリーン２０の内側に形成された液晶素子２０ａによる拡散面に映像が投影（以後、スクリーン投影という）される。
透過状態では、スクリーン２０（液晶素子２０ａ）を透過した投影光によって、例えば天井や壁に映像が投影される（以後、本明細書において外部投影という）（図１においては矢印の映像として示す）。
【００１４】
液晶素子２０ａ（スクリーン２０）が、拡散状態と透過状態とに所定の時間ごとに切替えられると（たとえば、６０回／毎秒）、プロジェクタ３０による投影もそれ合わせて、スクリーン投影（スクリーン２０が拡散状態の場合）と外部投影（スクリーン２０が透過状態の場合）とが時分割で切替えられる。
６０回／毎秒で切替える場合の観察者は、残像効果によって２つの投影像を鑑賞することができる。
【００１５】
なお、液晶素子２０ａの拡散／透過を切替えるタイミングで、後述の表示素子３２に異なる映像を形成させることによって、スクリーン投影像と外部投影像との内容を異ならせることができる。
この場合ＣＰＵ６１は、それぞれに投影すべき映像をメモリ２１へ格納しておき、液晶素子２０ａを拡散状態と透過状態とに切替えるタイミングで、表示素子３２上に形成させる映像をスクリーン投影像と外部投影像とに切替えるように表示素子３２を駆動する。
【００１６】
プロジェクタ３０は、光源３１と、表示素子３２と、投影光学系３３と、を含み、映像光をスクリーン２０及び外部の方向に向けて投射するように、筐体１１の内部所定位置に配設されている。
表示素子３２に表示された映像は、光源３１の照明光によって投影光学系３３を介してスクリーン２０に表示される。
【００１７】
カメラ４０は、撮像素子４１とフォーカシングレンズ４２とを備え、筐体１１の内部所定位置に配設されている。カメラ４０は、スクリーン２０の映像の撮影（以後、スクリーン撮影という）及び外部の映像の撮影（以後、外部撮影という）が撮影可能となっている。なお、カメラ４０はスチルカメラでもビデオカメラであっても良い。
【００１８】
フォーカシングレンズ４２は、例えば液体レンズであり、ＣＰＵ６１からの指示に応じて、スクリーン２０が透過状態の時には上記天井または壁などの外部に合焦するように制御され、スクリーン２０が拡散状態の時には、スクリーン２０の液晶素子２０ａに合焦するように制御される。
なお、液体レンズのように、レンズの状態を変化させることにより合焦位置を変化させるものでなく、レンズの位置をずらすことによって合焦位置を変えるものであっても良い。
撮像素子４１は、フォーカシングレンズ４２を介して撮像素子４１の撮像面上に結像された被写体像を撮像するＣＣＤやＣＭＯＳ等の撮像素子である。
【００１９】
スクリーン２０が透過状態の時には、外部撮影が可能であるため、外部に、たとえば観察者Ｓが近づいたとき、カメラ４０で撮影される外部映像に、観察者Ｓが写り込む。
また、スクリーン２０が拡散状態のときは、スクリーンにタッチした指などの影によって、プロジェクタ３０から投影された光が反射され、その反射光を含む映像がカメラ４０で撮影される。
【００２０】
制御部６０は、映像表示装置１を統括制御するものであり表示部１０と接続されている。
制御部６０は、ＣＰＵ６１、映像処理装置６２、メモリ６３、ストレージ６６、等を備えて構成されている、例えばパーソナルコンピュータである。
【００２１】
映像処理装置６２は、カメラ４０の撮影映像を入力して解析する。たとえば外部における観察者Ｓの存在の有無の判定や、スクリーン２０における接触位置の解析を行う。そして映像処理装置６２は、これらの判定結果や解析結果を、ＣＰＵ６１に出力する。
【００２２】
ＣＰＵ６１は、映像処理装置６２から入力された判定情報に基づき、ストレージ６６に格納された映像情報のスクリーン２０への表示や、接触位置に応じた各種処理を行う。
メモリ６３は、ＣＰＵ６１を動作させるプログラムを格納する。
ストレージ６６は、スクリーン２０に表示する映像情報を格納する。
【００２３】
次に、本実施形態の動作について説明する。
図２は制御部６０の動作を示すフローチャートである。
まず、図示しないメインスイッチがＯＮになると、カメラ４０に撮影を開始させる（ステップＳ１）。この際、フォーカシングレンズ４２は映像表示装置１の外部に合焦するように制御され、外部撮影が行われる。
【００２４】
映像処理装置６２はカメラ４０の撮影映像を入力して解析し、装置外部の観察者Ｓの存在の有無の判定を行う。映像処理装置６２は、作成したこれらの判定情報を、ＣＰＵ６１に出力する（ステップＳ２）。映像処理装置６２で観察者Ｓが検出されない場合は（ステップ２，ＮＯ）、ステップ２へ戻る。
【００２５】
ＣＰＵ６１は、映像処理装置６２で観察者Ｓが検出されると（ステップＳ２，ＹＥＳ）、スクリーン２０の液晶素子２０ａを、拡散状態と透過状態とを時間的に交互に切り替える切替制御を開始する（ステップＳ３）。
そして、メモリ６３に格納されたプログラムによるＣＰＵ６１の駆動によって、ストレージ６６に格納された映像情報を映像処理装置６２で処理してプロジェクタ３０に出力し、プロジェクタ３０を介してスクリーン投影を開始させる（ステップＳ４）。
なお、本実施形態ではこの段階でスクリーン投影のみ行うが、これに限定されるものではなく、スクリーン投影と外部投影との両方を開始しても良い。
【００２６】
ステップ４においてスクリーン投影が開始すると同時に、外部撮影のみ行っていたカメラ４０は、スクリーン撮影と外部撮影との交互の撮影を開始する（ステップＳ５）。
【００２７】
観察者Ｓがスクリーン２０に、たとえば指等により触れた場合、その位置がプロジェクタ３０の投影光で照らされ、カメラ４０に明るく写る。映像処理装置６２は、このカメラ４０の撮影映像を入力して接触の検知を行う（ステップＳ６）。
【００２８】
ＣＰＵ６１は、映像処理装置６２から接触検知情報を受信すると（ステップＳ６、ＹＥＳ）、その接触位置に応じた処理を行い、たとえば接触位置に応じて、プロジェクタ３０によって表示される映像を変更し、映像処理装置６２を介してプロジェクタ３０に出力し、投影を行う（ステップＳ７）。
【００２９】
プロジェクタ３０は、スクリーン２０が透過状態のときは外部投影を行い、スクリーン２０が拡散状態のときは、スクリーン投影を行う。すなわち、外部投影とスクリーン投影とを、スクリーンの透過状態と拡散状態との変化に合わせて交互に行う。
【００３０】
このとき、映像処理装置６２は、表示素子３２に、それぞれの表示のタイミングに合わせて、異なる表示画像が投影されるように時系列的に異なる画像を表示させる。
異なる表示画像の投影とは、例えば、図１に示すように、外部の天井や壁等には、観察者Ｓへの行き先を指示する矢印等を投影し、例えばスクリーン２０には、「矢印の方向へお進みください」等の投影を行うことである。
なお、これに限定されず、スクリーン投影と外部投影とを同じ表示内容としても良い。
【００３１】
カメラ４０は、ステップ５からスクリーン撮影と外部撮影とを交互に継続しており、観察者Ｓがいるかいないかも監視しつづけている（ステップＳ８）。
観察者Ｓがいなくなった場合は（ステップＳ８、ＮＯ）、ステップＳ９で電源がＯＦＦになれば終了し、ＯＦＦにならない場合は、電力消費を低減するためにスクリーン投影を終了させる（ステップＳ１０）。
そしてスクリーン２０の拡散状態を終了させて透過状態のみにする（ステップＳ１１）。
さらに、カメラを外部撮影のみに切り替えて（ステップＳ１２）Ｓ２に戻る。
【００３２】
なお、ステップＳ８で、観察者Ｓが存在する場合は（ステップＳ８、ＹＥＳ）、Ｓ６の接触操作の監視に戻る。
また、Ｓ６で接触が検知されない場合（ステップＳ６、ＮＯ）、Ｓ１２へ進み、観察者Ｓがまだいる場合はＳ６に戻り接触を検知し続けるが（ステップＳ１２、ＹＥＳ）、観察者Ｓがいない場合（ステップＳ１２、ＮＯ）は、Ｓ１０に進む。
【００３３】
以上、本実施形態によると、スクリーン２０の状態が透過状態と拡散状態とで交互に変更する。これに合わせてカメラ４０はスクリーン撮影と外部撮影の撮影とを切り替えることができる。
このように外部撮影が可能であるので、観察者Ｓがスクリーン２０に近づいたことを検知することができる。したがって、観察者Ｓがスクリーン２０に近づいたときだけスクリーン２０に映像を表示することが可能となる。
観察者Ｓがスクリーン２０の周囲に存在せず、映像の表示が不要な場合、スクリーン２０への映像の表示を行わないので、消費電力を低減することができる。
【００３４】
（第２実施形態）
つぎに、図３に示す本発明の第２実施形態を説明する。
図３は、本発明の第２実施形態における映像表示装置２の概念構成図である。なお、第２実施形態における映像表示装置２の基本構成は前述した第１実施形態における映像表示装置１と同様であり、同様の構成要素には同符号を付して説明を省略する。
【００３５】
第２実施形態は第１実施形態に対して、表示部２００のスクリーン２２０が曲面となっており、魚眼レンズ２５１を通して映像を投影する点が異なる。
また、カメラ２４０の光学系と、プロジェクタ２３０の光学系とを、共通の投影受光光学系２５０とすることで、部品点数の削減を図ってコスト削減を達成するとともに、カメラ２４０とプロジェクタ２３０の映像の位置関係を簡素化している。
【００３６】
本実施形態のスクリーン２２０は、所定の板厚で中空半球状に形成されている。
投影受光光学系２５０は、画角が略１８０°の魚眼レンズであるレンズ２５１を備えており、スクリーン２２０の全域を画角内として配設されている。
投影受光光学系２５０は、映像光をスクリーン２２０及びスクリーン２２０の外部に向けて投射するように、半球状のスクリーン２２０の略中心に配設されている。投影受光光学系２５０は、制御部６０（映像処理装置６２）から入力される映像情報の映像光をスクリーン２２０に投射する。
【００３７】
表示部２００は、カメラ２４０と、ダイクロイックミラー２４１と、を備える。
ダイクロイックミラー２４１は、投影受光光学系２５０におけるプロジェクタ２３０と投影受光光学系２５０の間の光路中に、光路に対して所定の角度で介設されている。
カメラ２４０は、投影受光光学系２５０から入射してダイクロイックミラー２４１によって反射された光を撮影する。
【００３８】
本実施形態においても、第１実施形態と同様に、メインスイッチがＯＮによりカメラ２４０は外部撮影を開始する。
そして、装置外部に観察者Ｓが検出されると、スクリーン２２０が、拡散状態と透過状態とを時間的に交互に切り替わるとともに映像がスクリーン投影される。スクリーン投影が開始すると同時に、カメラ２４０は、スクリーン撮影と外部撮影との交互の撮影を開始する。
【００３９】
観察者Ｓがスクリーン２２０に、タッチした場合、その接触位置に応じて、プロジェクタ２３０によって表示される映像が変更される。
この際、プロジェクタ２３０は、スクリーン２２０が透明状態のときは外部投影を行い、スクリーン２２０が拡散状態のときは、スクリーン投影を行う。このとき、それぞれの表示のタイミングに合わせて、異なる表示画像が投影される。
【００４０】
カメラ２４０は、スクリーン撮影と外部撮影とを継続し、観察者がいるかいないかも観察しつづけている。観察者がいなくなった場合、スクリーン投影を終了させる。
そしてスクリーン２２０の拡散状態を終了させて透過状態のみにする。
【００４１】
以上、本実施形態によると、第１実施形態の効果に加え、カメラ２４０とプロジェクタ２３０で投影受光光学系２５０を共用するため、全体をコンパクトに構成できると共に、映像の歪み補正が不要または容易である。
【００４２】
（第３実施形態）
第３実施形態は、第２実施形態と同様の構成であるが、第３実施形態のスクリーン３２０は時間的に拡散状態と透過状態とを切替えるものではなく、拡散領域３２１と透過領域３２２とを備える点が第２実施形態と異なる。
その他の構成は前述した第２実施形態における映像表示装置２と同様であり、同様の構成要素には同符号を付して説明を省略する。
【００４３】
図４はスクリーン３２０における拡散領域３２１と透過領域３２２との例を示したものである。
図４（ａ）は透過領域３２２が小穴状に形成されている。小穴以外の部分は拡散領域３２１である。図４（ｂ）は透過領域３２２と拡散領域３２１とが、半球状のスクリーンの頂点から放射状に交互に形成されている。図４（ｃ）はスクリーン３２０の頂点から同心円状に透過領域３２２と拡散領域３２１とが形成されている。図４（ｄ）は半球状の表面の特定の位置に、拡散領域３２１が形成されている。
【００４４】
本実施形態の場合、メインスイッチがＯＮによりカメラ２４０は外部撮影を開始する。この際、外部撮影は、スクリーン３２０の透過領域３２２を通して行われる。
装置外部に観察者Ｓが検出されると、映像がスクリーン投影される。この際、映像はスクリーン３２０の拡散領域３２１に投影される。
【００４５】
スクリーン投影が開始すると同時に、カメラ２４０は、スクリーン撮影と外部撮影との交互の撮影（時系列の撮影）を開始する。
ここで、カメラ２４０が外部撮影を行うタイミングに合わせて、スクリーン投影の輝度を低減、またはスクリーン投影を停止させるようにしても良い。これにより外部をより良好に撮影することができる。
【００４６】
観察者Ｓがスクリーン３２０に、タッチした場合、その接触位置に応じて、プロジェクタ３３０によって表示される映像が変更される。
この際、プロジェクタ３０は、スクリーン３２０の透過領域３２２には外部投影を行い、スクリーン３２０の拡散領域３２１にはスクリーン投影を行う。
このとき、映像処理装置は、表示素子に形成される画像において、透過領域３２２に投影される部分と、拡散領域３２１に投影される部分とで、異なる画像を配置する。これによると、１枚の画像で、スクリーン投影と外部投影とで異なる画像を投影することができる。
【００４７】
以上、本実施形態によると、第１実施形態及び第２実施形態の効果に加え、時間的にスクリーン３２０の状態を切り替える必要がなく、制御が容易である。
【００４８】
（第４実施形態）
図５は本発明の第４実施形態の映像表示装置４を示す図である。なお、第４実施形態における映像表示装置４の基本構成は前述した第２実施形態における映像表示装置２と同様であり、同様の構成要素には同符号を付して説明を省略する。
【００４９】
第４実施形態が第２実施形態と異なるのは、タッチ操作検出用の検出光源４１０が設けられ、
検出光源４１０は、検出光としての赤外光（検出赤外光）を出射する光源であって、スクリーン４２０の端面に、該スクリーン４２０の内部に検出赤外光を照射するように配設されている。
検出光源４１０によってスクリーン４２０の側端面から内部に照射された検出赤外光は、スクリーン４２０の内外面で全反射を繰り返して反対側の側端に至るようになっている。
カメラ４０は、検出光源４１０が出射する波長の検出赤外光を画像として撮影可能な赤外線検出状態と、可視光を検出可能な可視光検出状態とを有する。
【００５０】
本実施形態においても、第２実施形態と同様に、メインスイッチがＯＮによりカメラ４４０は外部撮影を開始する。
そして、装置外部に観察者Ｓが検出されると、スクリーン４２０が、拡散状態と透過状態とを時間的に交互に切り替わるとともに映像がスクリーン投影される。
【００５１】
検出光源４１０は、スクリーン４２０が拡散状態のときに赤外線を出射し、スクリーン４２０が透過状態のときに赤外線の出射を停止する。
また、カメラ４４０は、スクリーン投影が開始すると同時に、スクリーン撮影と外部撮影との交互の撮影を開始する。
【００５２】
スクリーン４２０の外面に手等が接触すると、その接触部分ではスクリーン４２０の内部における検出赤外光の反射光路に乱が生じ、検出赤外光がスクリーン４２０の内面側に漏出する。
カメラ４４０は、このスクリーン４２０の内面側に漏出した検出赤外光を撮像する。
【００５３】
そして、手の接触情報は制御部６０に出力され、制御部６０は映像処理装置６２を介してプロジェクタ４３０によって表示される映像を変更する。
この際、プロジェクタ４３０は、スクリーン４２０が透過状態のときは外部投影を行い、スクリーン４２０が拡散状態のときは、スクリーン投影を行う。このとき、それぞれの表示のタイミングに合わせて、異なる表示画像が投影される。
【００５４】
以上、本実施形態によると、上記実施形態の効果に加え、赤外線によって接触を検知する。赤外線による検知は、周囲が暗い場合でも検知しやすく、また外部の光の影響も受けにくいため、接触を検知しやすい。
【００５５】
（変形形態）
以上、説明した実施形態に限定されることなく、以下に示すような種々の変形や変更が可能であり、それらも本発明の範囲内である。
【００５６】
（１）本実施形態では、スクリーンを撮影するカメラと、外部を撮影するカメラとを１つのカメラとしたが、それぞれ別のカメラであっても良い。
【００５７】
（２）上述したように、フォーカシングレンズは、液体レンズのように、レンズの状態を変化させることにより合焦位置を変化させるものでなく、レンズの位置をずらすことによって合焦位置を変えるものであっても良い。
（３）また、レンズ２５１、４５１を介して撮影された外部の映像を別途記録する記録部（図示を省略する）を有し、映像を記録するカメラとして使用してもよい。
（４）また、カメラ４０、２４０、４４０がスクリーン２０，２２０，３２０，４２０の外部を撮影（外部撮影）している場合と、スクリーン撮影（スクリーン２０，２２０，３２０，４２０の内部を撮影）をしている場合とで、表示動作を変更してもよい。
なお、実施形態及び変形形態は、適宜組み合わせて用いることもできるが、詳細な説明は省略する。また、本発明は以上説明した実施形態によって限定されることはない。
【符号の説明】
【００５８】
１，２，４：映像表示装置、１０，２００，４００：表示部、２０，２２０，３２０，４２０：スクリーン、２０ａ：液晶素子、３０，２３０，４３０：プロジェクタ、４０，２４０，４４０：カメラ、４１：撮像素子、４２：フォーカシングレンズ、６０：制御部、６１：ＣＰＵ、２５１：レンズ、３２１：拡散領域、３２２：透過領域、４１０：検出光源
【図１】
2013205543.tif 000003
【図２】
2013205543.tif 000004
【図３】
2013205543.tif 000005
【図４】
2013205543.tif 000006
【図５】
2013205543.tif 000007